(57)【特許請求の範囲】
【請求項１】
ケーブルと、
前記ケーブルの先端に設けられたコネクタプラグと、
前記コネクタプラグの両側に設けられ、ロック解除時に押圧操作されるロック解除用ツマミ部と、
前記ロック解除用ツマミ部の表面に形成されたセレーション部と、を収納する収納ケースであって、
内壁と、
前記内壁に一対の壁が所定間隔をもって設けられ、ロック解除用ツマミ部を押圧付勢状態に挟持するプラグ保持用壁と、
前記プラグ保持用壁において、前記ロック解除用ツマミ部に対向する面に成形され、前記セレーション部に嵌合する複数のズレ防止突起と、
前記内壁において、前記コネクタプラグの挿脱方向に沿った前方に設けられた規制壁と、
備え、
前記複数のズレ防止突起の両端の距離をｈ１、前記セレーション部の両端部にある凹みの距離をｈ２、前記プラグ保持用壁に挟持された前記コネクタプラグと前記規制壁との距離をＨとし、ｈ１＋ｈ２≧Ｈの関係が成立する収納ケース。
【発明の詳細な説明】
【０００１】
【発明の属する技術分野】
本発明は、導出されたケーブルの先端にコネクタプラグが設けられた外部アンテナ等の電気部品を収納するための収納ケースに関するものである。
【０００２】
【従来の技術】
一般に、パーソナルコンピュータや携帯情報端末等を通信回線に接続してデータを送受信する場合には、ＰＣカードの内部にＰＨＳ（パーソナル・ハンディホン・システム）のような無線通信機能を内蔵した無線通信カードが使用されている。
例えば、図９に示した無線通信カードであるＰＣカードモデム１００は、無線通信機能を内蔵した筐体部１０１と、この筐体部１０１の下端から突出したＰＣカード部１０２と、筐体部１０１の上部に折り畳み自在に設けられたアンテナ１０３とからなり、パーソナルコンピュータ１０５に設けられたＰＣカードスロット１０４へＰＣカード部１０２を挿入、接続して使用されている。
【０００３】
ところが、このようなＰＣカードモデム１００を用いてデータを送受信する場合、使用状況によっては電波状態が良くなく、良好な無線通信を行えないことがある。そこで、図示しない外部アンテナと筐体部１０１とを接続ケーブルを介して接続して使用することも行われている。
そこで、使用者はＰＣカードモデム１００と共に、外部アンテナや接続ケーブルをも持ち歩かねばならない。この際、ホコリ等が付着するのを防止するため、持ち歩き時にはこれらを収納ケースや収納袋等に収納するのが一般的である。
【０００４】
ところで、上述の様な携帯用の外部アンテナとしては、構造が簡単で安価なスリーブアンテナが用いられることが多いが、このスリーブアンテナは略円筒形状を有しており、一端部から導出された接続ケーブルの先端には、図１０に示したように、ＰＣカードモデム１００に接続する為のコネクタプラグ１０７が設けられている。
【０００５】
そして、外部アンテナ等の電気部品から導出されたケーブルの先端に設けた略直方体状のコネクタプラグ１０７を収納ケース１０５に保持する構造としては、図１０及び図１１に示したように、対向する先端にそれぞれ係止突起１０１を突設して平行に設けた一対の可撓係止片１０３，１０３を収納ケース内に設けるものがある。
そこで、一対の可撓係止片１０３，１０３の間に略直方体状のコネクタプラグ１０７を押し込むことで、不用意に収納ケースから脱落したり、ガタつくことがないように、該コネクタプラグ１０７を挟持することができる。
【０００６】
【発明が解決しようとする課題】
しかしながら、上述した如き一対の可撓係止片１０３，１０３の場合、コネクタプラグ１０７を着脱する際には、係止突起１０１によって先端部が外側に弾性変形する（図１１中、矢印方向）。
そこで、前記可撓係止片１０３は、コネクタプラグ１０７の着脱の際に繰り返し過度に変形させられると、へたりを生じて弾性復元力が低下する。この様な可撓係止片１０３の弾性復元力の低下は、コネクタプラグ１０７に対する挟持力の低下を招き、収納ケース１０５にコネクタプラグ１０７を確実に保持できなくなる可能性がある。
【０００７】
又、前記可撓係止片１０３を収納ケース１０５の内面に一体成形する際には、前記係止突起１０１の下側部分がアンダーカットとなるので、成形金型が複雑になり、製造コストが上昇するという問題がある。
従って、本発明の目的は上記課題を解消することに係り、ケーブルの先端に設けられたコネクタプラグを安定して確実に保持することができると共に、製造コストの上昇を抑えることができる収納ケースを提供することにある。
【０００８】
【課題を解決するための手段】
本発明の上記目的は、導出されたケーブルの先端にコネクタプラグが設けられた電気部品を収納するための収納ケースであって、
前記収納ケース内壁には、前記コネクタプラグ両側面の少なくとも一方に設けられてロック解除時に押圧操作されるロック解除用ツマミ部を押圧付勢状態に挟持可能な一対のプラグ保持用壁が所定間隔をもって立設されており、
前記一対のプラグ保持用壁が、前記ロック解除用ツマミ部の弾性復元力により前記コネクタプラグを保持することを特徴とする収納ケースにより達成される。
【０００９】
上記構成によれば、電気部品から導出されたケーブルの先端に設けられたコネクタプラグを該電気部品と共に収納ケースに収納する際には、前記コネクタプラグのロック解除用ツマミ部を一対のプラグ保持用壁が押圧付勢状態に挟持するように装着される。
そこで、前記コネクタプラグは、自身のロック解除用ツマミ部の弾性復元力により一対のプラグ保持用壁の間に挟持されるので、プラグ保持用壁自体は弾性変形する必要がなく、アンダーカットとなるような係止突起も必要ない。
又、前記ロック解除用ツマミ部は、予め十分な弾性ストロークと耐久性を備えており、長期間にわたって安定した保持力を維持できる。
【００１０】
尚、好ましくは前記一対のプラグ保持用壁の対向面に突設されたズレ防止突起が、前記ロック解除用ツマミ部の表面に形成された滑り止め用凹凸部に嵌合することにより、前記コネクタプラグのプラグ前後方向への移動を規制する。
この場合、一対のプラグ保持用壁の間にコネクタプラグを挿入すると、プラグ保持用壁の対向面に設けられているズレ防止突起が、コネクタプラグのロック解除用ツマミ部に設けられている滑り止め凹凸部に嵌合するので、該コネクタプラグの前後方向のズレを防止して、確実に保持することができる。
【００１１】
又、前記滑り止め凹凸部は、前記コネクタプラグを相手コネクタ部から摘まみながら抜き出す際、指先が滑るのを防止する為のものであるので、通常はプラグ前後方向（コネクタプラグ挿脱方向）に沿った断面波形の凹凸部である。そこで、この断面波形の凹凸部に嵌合する前記ズレ防止突起は、収納ケース内壁面に対して直交する方向に延びるリブ突起とすることができ、プラグ保持用壁の対向面に一体成形する際にもアンダーカットとなることはない。
【００１２】
又、好ましくは前記ズレ防止突起が、前記コネクタプラグのプラグ前後方向に沿って複数個突設されている。
そこで、前記コネクタプラグを収納ケースに収納する際、ケーブルの影響により該コネクタプラグの保持位置が前後しても、少なくとも１個のズレ防止突起が前記滑り止め用凹凸部に嵌合すれば、一対のプラグ保持用壁は前後方向のズレを防止しながら該コネクタプラグを確実に保持することができる。
【００１３】
又、好ましくは前記滑り止め用凹凸部が前記プラグ保持用壁のズレ防止突起に嵌合可能とされる範囲内に前記コネクタプラグを位置規制する為のプラグ前後方向規制壁が、前記収納ケース内壁に突設されている。
そこで、前記コネクタプラグを収納ケースに収納する際、該コネクタプラグの保持位置が前後しても、前記プラグ前後方向規制壁の間であれば、少なくとも１個のズレ防止突起は前記滑り止め用凹凸部に嵌合できる。従って、前記コネクタプラグを不用意に一対のプラグ保持用壁間に挿入しても、一対のプラグ保持用壁は前後方向のズレを防止しながら該コネクタプラグを確実に保持することができる。
【００１４】
更に、前記電気部品が無線通信用の外部アンテナであり、無線通信機能を内蔵した無線通信カードと共に収納される。
この場合、外部アンテナから導出されたケーブルの先端に設けられたコネクタプラグを確実に保持した状態で、これらを無線通信カードと共に持ち歩くことができ、携帯性に優れる。
【００１５】
【発明の実施の形態】
以下、添付図面に基づいて本発明の一実施形態に係る収納ケースを詳細に説明する。
本実施形態の無線通信カード用収納ケース１は、図１乃至図３に示したように、無線通信カードとしてのＰＣカードモデム３と、電気部品である無線通信用の外部アンテナ５と、該外部アンテナ５の基端部から導出された接続ケーブル７の先端に設けられたコネクタプラグ３１とを一体的に収納する合成樹脂製の収納ケースである。
【００１６】
そして、前記無線通信カード用収納ケース１は、外部アンテナ５、接続ケーブル７及びコネクタプラグ３１を所定位置に収納する扁平な箱状のケース本体９と、このケース本体９に回動自在に枢着されて前記ＰＣカードモデム３を収納する平板状の蓋体１１とを有している。
【００１７】
前記ケース本体９は、図４を併せて参照するに、平板矩形状の天板１３と、この天板１３の長手方向に沿った両側縁（図３中、左右両側縁）に垂設された側壁15Ｌ，１５Ｒと共に、長手方向前端縁（図２中、右端縁）に垂設された前壁１７を有している。
又、前記天板１３の長手方向後端部（図２中、左端部）に垂設された後壁１９は、後述する蓋体１１に設けられているポケット部７１の上壁に先端が当接するので、ケース本体９の約半分の高さとなっている。
【００１８】
前記両側壁15Ｌ，１５Ｒの後端は、図４に示したように、それぞれ後壁１９より後方へ突出しており、その各内側面には、前記蓋体１１を回動自在に枢着するための円柱形状の回動軸用突起２５が突設されている。そして、対応する蓋体１１の両側面には、前記回動軸用突起２５が嵌合する回動軸用凹部（図示せず）が凹設されている。
【００１９】
そして、前記ケース本体９には、前述したように外部アンテナ５と、該外部アンテナ５をＰＣカードモデム３に接続する接続ケーブル７と、該接続ケーブル７の先端に取付けられてＰＣカードモデム３における筐体部６９のコネクタ部７０に接続するためのコネクタプラグ３１とが収納される。
【００２０】
前記外部アンテナ５は、図１に示したように、略丸棒状の所謂スリーブアンテナであり、接続ケーブル７と接続される基端側の大径部３５と、円錐状部３７を介して先端側に延びる小径部３３とを備えている。
また、前記外部アンテナ５の基端部には、接続部３９を介して前記接続ケーブル７が、外部アンテナ５の中心軸線と直交する方向へ取付けられている。
そして、前記外部アンテナ５は、図４に示したように、前記ケース本体９の側壁１５Ｌに沿って収納されている。
【００２１】
又、前記外部アンテナ５の基端部（図４中、下端部）には、図４に拡大して示したように、例えば半球状の嵌合凹部４１がケース嵌合部として設けられており、この嵌合凹部４１にピボット嵌合して軸線直角方向への移動を阻止すると共に中心軸線回りに回転可能に前記外部アンテナ５を保持するための円錐形の嵌合突起４３が、前記ケース本体９の後壁１９内面にアンテナ嵌合部として突設されている。
【００２２】
一方、前記嵌合突起４３が外部アンテナ５の嵌合凹部４１に嵌合した状態で、該外部アンテナ５の先端部（図４中、上端部）が位置する前記天板１３の内面には、弾性可撓片４５が突設されている。この弾性可撓片４５は、その弾性復元力により外部アンテナ５の先端部を基端部側に弾性付勢し、嵌合突起４３に対する前記嵌合凹部４１の嵌合状態を保持する。
【００２３】
更に、前記嵌合突起４３が外部アンテナ５の嵌合凹部４１に嵌合した状態で、該外部アンテナ５の円錐状部３７が位置する前記天板１３の内面には、貫通穴４９が穿設されたアンテナ保持用リブ４７が形成されている。この貫通穴４９の内径は、前記外部アンテナ５の小径部３３よりも大きく、大径部３５よりは小さくされている。
【００２４】
そして、前記外部アンテナ５をケース本体９に収納保持する際には、先ず、図４中下側から外部アンテナ５の小径部３３の先端をアンテナ保持用リブ４７の貫通穴に通し、該小径部３３の先端を弾性可撓片４５に押し付けて撓ませる。
次に、この状態で外部アンテナ５の基端部に設けた嵌合凹部４１をケース本体９の嵌合突起４３に嵌合させる。すると、前記弾性可撓片４５の弾性復元力が、外部アンテナ５の嵌合凹部４１をケース本体９の嵌合突起４３に押し付けて嵌合させるので、外部アンテナ５は軸線回りに回転可能な状態で確実に保持される。
【００２５】
前記ケース本体９の天板１３の内面には、図１乃至図４に示したように、前記接続ケーブル７を所定の位置に保持するためのケーブル保持ガイド５１が一体成形されている。このケーブル保持ガイド５１は、長円形状の内壁リブ５３と、この内壁リブ５３との間に接続ケーブル７を挟み込むために一定間隔を保持して内壁５３と平行に設けられている外壁リブ５５とから構成されている。
【００２６】
更に、図４に示したように、前記コネクタプラグ３１を固定するためのコネクタプラグ保持部５７が、前述した内壁リブ５３の内方に設けられている。
このコネクタプラグ保持部５７は、前記コネクタプラグ３１の両側面に設けられているロック解除用ツマミ部５９，５９に対応する位置に設けられている左右一対のプラグ保持壁６１，６１と、コネクタプラグ３１の前方への移動範囲を規制するプラグ前方向規制壁６３と、コネクタプラグ３１の後方への移動範囲を規制するプラグ後方向規制壁６５，６５とが、ケース本体９の天板１３内面に一体成形されて構成されている。
【００２７】
前記ロック解除用ツマミ部５９，５９は、図５及び図６に示したように、コネクタプラグ３１をＰＣカードモデム３に接続した際に脱落防止のためにロックされるロック機構を解除するためのものであり、コネクタプラグ両側面に設けられている。
更に、これらロック解除用ツマミ部５９，５９は、ロック解除の際に摘むようにしてそれぞれ内側へ押圧されるものであるが、手を離すとロック位置に復帰するように、バネ等の弾性復元力により常時外側に付勢されている。
【００２８】
そして、図６に示したように、前記天板１３内面に立設される一対のプラグ保持壁６１，６１の内面距離ｂは、これらロック解除用ツマミ部５９，５９を押圧付勢状態に挟持できるように、通常時における左右のロック解除用ツマミ部５９，５９の外側面距離Ｂよりも若干小さく設定されている。
従って、前記外部アンテナ５から導出された接続ケーブル７の先端に設けられたコネクタプラグ３１を該外部アンテナ５と共にケース本体９に収納する際には、前記コネクタプラグ３１のロック解除用ツマミ部５９，５９を一対のプラグ保持用壁６１，６１が押圧付勢状態に挟持するように装着される。
【００２９】
そこで、前記コネクタプラグ３１は、自身のロック解除用ツマミ部５９，５９の弾性復元力により一対のプラグ保持用壁６１，６１の間に挟持されるので、プラグ保持用壁６１自体は弾性変形する必要がなく、図１０及び図１１に示した可撓係止片１０３のようにアンダーカットとなる係止突起１０１も必要ない。
又、前記ロック解除用ツマミ部５９，５９は、上述した如くバネ等の弾性復元力により常時外側に付勢されており、予め十分な弾性ストロークと耐久性を備えているので、長期間にわたって安定した保持力を維持できる。
【００３０】
更に、図７にも示したように、前記ロック解除用ツマミ部５９の外面には、滑り止めの凹凸部であるセレーション部６０が設けられている。尚、前記セレーション部６０は、前記コネクタプラグ３１をＰＣカードモデム３のコネクタ部７０から摘まみながら抜き出す際、指先が滑るのを防止する為のものであるので、プラグ前後方向（コネクタプラグ挿脱方向）に沿った断面波形の凹凸部である。
【００３１】
一方、前記一対のプラグ保持用壁６１，６１の対向面（内面）には、前記セレーション部６０の凹凸に嵌合する大きさの複数個（ここでは例えば3個）のズレ防止突起６２が、上下方向（収納ケース内壁面に対して直交する方向）に直線的に延びるリブ突起として一体成形されている。
即ち、前記ズレ防止突起６２は、収納ケース９内壁面に対して直交する方向（金型移動方向）に延びるリブ突起であるので、アンダーカットとなることはなく、成形金型が複雑になって製造コストが上昇することはない。
【００３２】
従って、前記一対のプラグ保持用壁６１，６１の間にコネクタプラグ３１を挿入すると、プラグ保持用壁６１の対向面に設けられているズレ防止突起６２が、コネクタプラグ３１のロック解除用ツマミ部５９に設けられているセレーション部６０の凹凸に嵌合するので、該コネクタプラグ３１の前後方向のズレを防止して、確実に保持することができる。
【００３３】
更に、前記ズレ防止突起６２が、前記コネクタプラグ３１のプラグ前後方向に沿って複数個突設されているので、前記コネクタプラグ３１をケース本体９に収納する際、接続ケーブル７の収納状態の影響により、前記コネクタプラグ保持部５７に対する該コネクタプラグ３１の保持位置が前後しても、少なくとも１個のズレ防止突起６２が前記セレーション部６０の凹みに嵌合すれば、一対のプラグ保持用壁６１，６１は前後方向のズレを防止しながら該コネクタプラグ３１を確実に保持することができる。
【００３４】
また、プラグ前方向規制壁６３とプラグ後方向規制壁６５，６５により規制されるコネクタプラグ３１の前後方向への移動可能距離Ｈの最大は、図７及び図８に示したように、プラグ保持用壁６１，６１のズレ防止突起６２の少なくとも１個が、前記ロック解除用ツマミ部５９のセレーション部６０の凹みに嵌合する距離となる。
即ち、両端部のズレ防止突起６２の距離ｈ１と、セレーション部６０の両端部にある凹みの距離ｈ２から、Ｈ≦ｈ１＋ｈ２と成る。
【００３５】
従って、接続ケーブル７をケーブルガイド５１に沿って収納した際に、前記コネクタプラグ保持部５７に対するコネクタプラグ３１の前後方向の位置がＨだけずれても、プラグ保持用壁６１，６１によりコネクタプラグ３１を確実に保持することができる。
尚、前記プラグ保持用壁６１，６１と前記プラグ後方向規制壁６５，６５との間には、前記コネクタプラグ３１を前記コネクタプラグ保持部５７から取り出す際に、作業者の指が入る程度の隙間を設けることが好ましい。
【００３６】
前記ＰＣカードモデム３は、無線通信機能を内蔵した筐体部６９と、この筐体部６９の下端から突出した平板状のＰＣカード部６７と、筐体部６９の上部に折り畳み自在に設けられたアンテナ６８とからなり、背面に設けられたコネクタ部７０に前記コネクタプラグ３１が接続される。
そして、前記ＰＣカード部６７の先端部を前記蓋体１１に設けたポケット部７１（図１参照）に挿入することにより、蓋体１１を閉じた際にケース本体９のケーブル保持ガイド５１およびコネクタプラグ保持部５７の上に重なるようにして、ＰＣカードモデム３が無線通信カード用収納ケース１内に収納される。
【００３７】
即ち、ＰＣカードモデム３の薄い平板状のＰＣカード部６７は、上述したケーブル保持ガイド５１及びコネクタプラグ保持部５７に重ねて収納されており、ＰＣカード部６７より厚いため突出する筐体部６９は、ケーブル保持ガイド５１に干渉しない空間（図２中、右側の空間）に収納されている。これにより、無線通信カード用収納ケース１の厚さを最小とすることができる。
【００３８】
従って、本実施形態の無線通信カード用収納ケース１は、ＰＣカードモデム３と共に外部アンテナ５、接続ケーブル７及びコネクタプラグ３１を一体的に収納しているにもかかわらず、外形を小さくしてコンパクト化を図ることができる。
又、外部アンテナ５から導出された接続ケーブル７の先端に設けられたコネクタプラグ３１を確実に保持した状態で、これらをＰＣカードモデム３と共に持ち歩くことができ、携帯性に優れる。
【００３９】
そして、前記ＰＣカードモデム３及び前記外部アンテナ５を使用する際には、回動軸用突起２５を回動中心として蓋体１１をケース本体９に対して回動させて開放し、取り出したＰＣカードモデム３をパーソナルコンピュータ１０５のＰＣカードスロットへ挿入、接続する。
次に、前記外部アンテナ５をケース本体９内に収納したままの状態で接続ケーブル７を引出し、図５に示したように、コネクタプラグ３１をＰＣカードモデム３のコネクタ部７０に接続する。
この時、前記外部アンテナ５は、軸線回りに回転可能な状態でケース本体９に保持されているので、接続ケーブル７を所望の方向へ引き出すことができる。
【００４０】
更に、蓋体１１をケース本体９に対して２７０度以上回動させた後、ケース本体９の後壁１９を蓋体１１の外側面に当接させて回動を規制することよって、図５に示したように、ケース本体９と蓋体１１とを互いに略直交する開放角度に保持させる。
【００４１】
そこで、前記蓋体１１が基台となるように前記無線通信カード用収納ケース１を水平な台上に置くことで、ケース本体９内に収納したままの状態の外部アンテナ５が、台上に対して略直交する角度に保持される。
なお、前記外部アンテナ５の利得上、台上に対する角度は７０度以上が好ましい。但し、台上に対する角度が９０度に近い場合や、９０度を超えた場合には、ケース本体９が倒れるおそれがでてくるので、９０度よりも小さな角度とする。
【００４２】
尚、本発明の収納ケースに係るコネクタプラグ保持部は、上記実施形態におけるコネクタプラグ保持部５７の構成に限定されるものではなく、種々の形態を採りうることは云うまでもない。
例えば、上記実施形態においては、プラグ保持用壁６１の対向面に３個のズレ防止突起６２を突設したが、本発明はこれに限定されない。
【００４３】
又、上記実施形態においては、電気部品である無線通信用の外部アンテナ３を収納する無線通信カード用収納ケース１を本発明の収納ケースとして説明したが、本発明はこれに限定されるものではなく、例えばヘッドホーンやマイク等の種々の電気部品から導出されたケーブルの先端にコネクタプラグが設けられた電気部品を収納するための収納ケースであれば種々適用可能である。
【００４４】
【発明の効果】
上述した如き本発明の収納ケースによれば、電気部品から導出されたケーブルの先端に設けられたコネクタプラグを該電気部品と共に収納ケースに収納する際には、前記コネクタプラグのロック解除用ツマミ部を一対のプラグ保持用壁が押圧付勢状態に挟持するように装着される。
【００４５】
そこで、前記コネクタプラグは、自身のロック解除用ツマミ部の弾性復元力により一対のプラグ保持用壁の間に挟持されるので、プラグ保持用壁自体は弾性変形する必要がなく、アンダーカットとなるような係止突起も必要ない。従って、収納ケースの成形金型が複雑になって製造コストが上昇することはない。
又、前記ロック解除用ツマミ部は、予めバネ等の弾性復元力により常時外側に付勢されている部材であり、十分な弾性ストロークと耐久性を備えているので、長期間にわたって安定した保持力を維持できる。
【図面の簡単な説明】
【図１】本発明の実施形態に係る収納ケースの全体斜視図である。
【図２】図１に示した収納ケースの一部破断正面図である。
【図３】図１に示した収納ケースの一部破断側面図である。
【図４】図１に示したケース本体に収納された外部アンテナ及び接続ケーブルの収納状態を示す平面図である。
【図５】図１に示した収納ケースの使用状態を示す斜視図である。
【図６】図１に示したコネクタプラグをプラグ保持用壁に装着する際の状態を説明する斜視図である。
【図７】図６に示したコネクタプラグとプラグ保持用壁との関係を示す部分平面図である。
【図８】図４に示したコネクタプラグをプラグ保持用壁に装着する際の移動可能距離を説明する拡大平面図である。
【図９】無線通信カードの使用状態を示す要部斜視図である。
【図１０】従来の収納ケースにおけるコネクタプラグの収納状態を示す部分斜視図である。
【図１１】図１０に示した収納ケースにおけるコネクタプラグの収納状態を示す横断面図である。
【符号の説明】
１  無線通信カード用収納ケース（収納ケース）
３  外部アンテナ（電気部品）
５  ＰＣカードモデム
７  接続ケーブル（ケーブル）
９  コネクタプラグ
５９  ロック解除用ツマミ部
６１  プラグ保持用壁
６３  プラグ前方向規制壁
６５  プラグ後方向規制壁
６０  セレーション部（滑り止め用凹凸部）
６２  ズレ防止突起
【図１】
0004659997.tif 000002
【図２】
0004659997.tif 000003
【図３】
0004659997.tif 000004
【図４】
0004659997.tif 000005
【図５】
0004659997.tif 000006
【図６】
0004659997.tif 000007
【図７】
0004659997.tif 000008
【図８】
0004659997.tif 000009
【図９】
0004659997.tif 000010
【図１０】
0004659997.tif 000011
【図１１】
0004659997.tif 000012